(57)【要約】【課題】逆さまにした可撓性袋のスパウトを繰り返し使用容器の口部に合わせて押し込むときに、スパウトの部分を挟み持つ指先でスパウトを押し下げ易くし、スパウトにおける上記閉鎖板の開き操作がスムーズに行なえるようにする。【解決手段】スパウトの袋内側筒部４と袋外側筒部５との間のフランジ４に、可撓性袋の袋包材の重ね合わせ方向に沿った方向で相対する端部それぞれを外方に向けて延設して、袋内側筒部側の片面に指乗せできる延設部１０を設けた。【選択図】図１
2015013655.tif 000002
【特許請求の範囲】
【請求項１】
可撓性袋の袋包材を重ね合わせてヒートシールするシール辺の間に挟み込まれるように配置してシール辺の融着によりなる袋シール辺部に融着固定されるスパウトであって、
袋シール辺部でのスパウト取付形態では袋内方に臨む配置とされる筒部であり、シール辺の間に挟み込み可能なシール部を有して、そのシール部の外周形状を筒部径方向の外方に向けて突出する凸部を筒部外周に一対備える形状にした袋内側筒部と、
前記袋内側筒部に連続していて袋シール辺部でのスパウト取付形態では袋外方に突出する配置とされる筒部であり、切断可能な薄肉部を介して筒部内面に連続する閉鎖板で筒部内が閉鎖されている袋外側筒部と、
スパウト外周周りに設けられているフランジと
からなるスパウトにおいて、
前記フランジには、該フランジの可撓性袋の袋包材の重ね合わせ方向に沿った方向で相対する端部それぞれを外方に向けて延設して、袋内側筒部側の片面に指乗せできる延設部が設けられていることを特徴とするスパウト。
【請求項２】
上記フランジは、上記袋内側筒部と上記袋外側筒部との間に位置する第一のフランジと、袋外側筒部の基端側であって前記第一のフランジに対して離間した位置にした第二のフランジとからなるものであり、第一のフランジのみに上記延設部が設けられ、第二のフランジの外方であって前記延設部に対応する部分には、該延設部の第二のフランジとは非接触の撓み変形を可能にする変形可能空間部が設けられている請求項１に記載のスパウト。
【請求項３】
上記袋内側筒部には、シール部から上記袋外側筒部とは反対側に延設されて、袋シール辺部でのスパウト取付形態において袋シール辺部の位置から袋内方に向けて突出する延設筒部が一体にして設けられている請求項１または２に記載のスパウト。
【請求項４】
上記延設筒部における筒壁に、貫通孔が開口している請求項３に記載のスパウト。
【請求項５】
上記請求項１から４の何れか一項におけるスパウトが、袋シール辺部のシール辺の間に挟み込まれるようにして取り付けられていることを特徴とするスタンディングパウチ。
【発明の詳細な説明】
【技術分野】
【０００１】
本発明は、液体洗剤、柔軟剤などのトイレタリー用品や、食用油、ケチャップ、マヨネーズなどの粘稠物、インスタントコーヒーなどの顆粒や粉体を、詰め替え用として収納する可撓性袋に取り付けるためのスパウト、そしてそのスパウトを取り付けて詰め替え容器として利用できるスタンディングパウチに関するものである。
【０００２】
液体洗剤などの商品には、注出の際の液切れを良くしたり、その液体洗剤などを使用する都度に適切な量を計量して取り出し易いようにするために、ボトル状の容器本体の口部にくちばし状のノズルを取り付けた容器がよく用いられていた。このような容器においてボトル状の容器本体は一般的にはブロー成形されていて、剛性が比較的に高い容器であって、内容物が空となった際の小型化が図れず、同様の容器が廃棄物として処理される場合にごみの容量が増大してしまうことが懸念されていた。また、ノズルのある注出口部分も形状が複雑で成形コストが比較的高く、このような容器を使い捨ての容器とした場合には不経済な面もあった。
【０００３】
そのため、昨今にあっては内容物を補充するための詰め替え専用の商品があり、その商品用としての容器も提供されるようになってきている。例えば、特許文献１に示されているように容器本体の口部に破断可能なフィルムで閉じた容器が提案されており、その詰め替え容器を上下逆さまにし、繰り返し使用する容器のノズルを前記詰め替え容器の口部に突き入れてフィルムを破断して、詰め替え容器に収容されていた液体洗剤などが繰り返し使用の容器に移し替えられるようにした工夫がある。
【０００４】
また、詰め替え専用の商品の容器として、フィルム材を重ね合わせて相対するシール辺をヒートシールしたパウチタイプの可撓性袋も利用されるようになってきており、このような可撓性袋の袋本体はシートを重ね合わせてなるものであることから、液体洗剤などの内容物を移し替えて中身が空となれば、小型にすることが容易でごみ容量の減量化に寄与できる。そして、前記可撓性袋では、繰り返し使用容器に収容物を詰め替える操作を簡易なものとするために、その繰り返し使用容器の口部やノズルに対応することのできるスパウトを袋シール辺部に融着固定する構造にしている。
【０００５】
詰め替え用の可撓性袋に用いられるスパウトにあっては、特許文献２に示されているように切断可能な薄肉部を介して筒部に連接する閉鎖板で閉鎖したスパウトが提案されており、上下逆さまにした可撓性袋のスパウトを繰り返し使用容器のノズルにその上方から当てがい、スパウト内にノズルが突き立てるようにスパウトの押し下げを行なって閉鎖板を開くようにする工夫がある。
【０００６】
また、詰め替え用の可撓性袋に取り付けられるスパウトにおいて、内容物の移し替え作業を中断したり再開させたりできるように袋内方側に延設された筒部に開口を設け、移し替えの際にその開口を指で開け閉めできる工夫が特許文献３に示されている。
【先行技術文献】
【特許文献】
【０００７】
【特許文献１】特開２０１１−０２０７４２号公報
【特許文献２】特開２０１０−２１５２８２号公報
【特許文献３】特開２０１１−１４０３２９号公報
【発明の概要】
【発明が解決しようとする課題】
【０００８】
上述した筒部内が閉鎖板で閉じられているスパウトでは、別部材の封止フィルムを用いずに封止構成を備えたスパウトが得られるようになる点で有用と考える。そのスパウトの一例を図７から図１１に示した。このスパウト１は全体が軟質の合成樹脂材から成形されているものであり、可撓性袋の袋包材を重ね合わせてヒートシールするシール辺の間に挟み込むように配置し、その挟み込み箇所をシール辺とともに超音波シールなどを行なって袋シール辺部に融着固定できるように、スパウト１の合成樹脂材が選択されている。
【０００９】
図示されているようにスパウト１は袋内側筒部２と、袋外側筒部３と、前記袋内側筒部２と袋外側筒部３との間に位置する第一のフランジ４と、前記袋外側筒部３の基端側に位置する第二のフランジ５とを備えている。
【００１０】
（袋内側筒部）
袋内側筒部２は可撓性袋ａの袋シール辺部ｂでのスパウト取付形態では袋内方に臨む配置とする部分がある（図１０参照）。この袋内側筒部２は、シール辺ｃの間に挟み込み可能なシール部６を有して、このシール部６の側面が可撓性袋ａのシール辺ｃの内面に対応する面となる。そして、前記シール部６を二つのシール辺ｃの間に配置して融着固定（例えば超音波シール）する際に、二つのシール辺ｃが直接融着する個所からその二つのシール辺ｃが分かれてシール部６を間にした状態で隙間などを生じさせずに適正に融着が行なわれるようにするために、シール部６の外周形状は、筒部径方向の外方（挟み込む二つのシール辺ｃの対向方向に直交する方向であり、スパウト取付部分での袋シール辺部ｂの長さ方向に沿った方向）に向けて突出する平断面略三角形の凸部７を筒部外周に一対備える形状にしている。
【００１１】
（袋外側筒部）
袋外側筒部３は上記袋内側筒部２と連続していて、可撓性袋ａの袋シール辺部ｂでのスパウト取付形態では袋外方に突出する配置とする部分ある（図１０参照）。そして、図９に示されているように袋外側筒部３の内側は閉鎖板８があって閉鎖されており、閉鎖板８の周囲を囲む切断可能な薄肉部９を介してこの閉鎖板８が筒部内面に連続している。上記特許文献２などで示されているように、繰り返し使用容器の口部に上方からこのスパウトを押し付けて繰り返し使用容器の口部側にあるノズルや切断手段によって閉鎖板８が押されて前記薄肉部８が切断することで、閉鎖板８が回動して（あるいは閉鎖板８自体が筒部から分離して）閉鎖状態が解かれるようになる。
【００１２】
（第一のフランジ）
袋内側筒部２と袋外側筒部３との間に位置する第一のフランジ４は、可撓性袋ａにスパウト１を取り付ける際に可撓性袋ａのシール辺ｃにこの第一のフランジ４の裏面を当接させて、スパウト１の袋内側筒部２が可撓性袋ａの入りすぎないように位置決めをする役割を有する個所である。
【００１３】
（第二のフランジ）
上記袋外側筒部３の基端側に位置する第二のフランジ５は、上記第一のフランジ４と離間した位置にある。そして、この第二のフランジ５は、繰り返し使用容器の口部ｄにこのスパウト１を押し付けた際に繰り返し使用容器の口部上端が当接して、袋外側筒部３と繰り返し使用容器の口部ｄとの嵌め合わせが深くなり過ぎないようにするものであり、袋外側筒部３の繰り返し使用容器の口部ｄに対する押し込み深さを規制する役割を有する個所である。
【００１４】
第一のフランジは、可撓性袋の製造システムでのスパウト取付装置の精度が高いものである現状があることから、外方への張り出しは大きいものではなく、必要最小限のものとなっている。また、スパウトの袋外側筒部が、繰り返し使用容器の口部に差し入れてもあまりガタ付きが生じない程度の外径に形成している現状であることから、第二のフランジにあっても外方への張り出しは大きくはなく、必要最小限に成形されている。なお、この図示したスパウトでは第一のフランジと第二のフランジとは平面形状を同一としている。
【００１５】
しかしながら、上記スパウトを取り付けた可撓性袋を詰め替え用の容器として取り扱うに際して、つぎの不具合が生じていた。即ち、このスパウトを取り付けた可撓性袋から収容物を繰り返し使用容器に詰め替える作業を行なうとき、逆さまにした可撓性袋のスパウトが融着固定された部分（袋内側筒部をシール辺で挟んで丸味が生じている部分）を親指と人差し指とで挟み持ちながら、スパウトの袋外側筒部を繰り返し使用容器の口部に上方から押し込むようにしているが、図１１に示すようにスパウト１の袋内側筒部２側を挟み持つ指先で下方に押し下げる力をスパウト１の筒部分に直接的に伝える指掛かりとなる部分がなく、第一、第二のフランジ４、５も張り出し量が小さく指先を掛けることができない。そのため、スパウト１を挟み持つ指先からこのスパウト１を押し下げる力をスパウト自体に加え難いという不具合があり、スパウト１を可撓性袋の口部ｄに押し込んで開閉板８を開く操作がスムーズに行なえないという状況となっていた。
【００１６】
そこで本発明は上記事情に鑑み、逆さまにした可撓性袋のスパウトを繰り返し使用容器の口部に合わせて押し込むときに、スパウトの部分を挟み持つ指先でスパウトを押し下げ易くすることを課題とし、スパウトにおける上記閉鎖板の開き操作がスムーズに行なえるようにすることを目的とするものである。
【課題を解決するための手段】
【００１７】
（請求項１の発明）
本発明は上記課題を考慮してなされたもので、可撓性袋の袋包材を重ね合わせてヒートシールするシール辺の間に挟み込まれるように配置してシール辺の融着によりなる袋シール辺部に融着固定されるスパウトであって、
袋シール辺部でのスパウト取付形態では袋内方に臨む配置とされる筒部であり、シール辺の間に挟み込み可能なシール部を有して、そのシール部の外周形状を筒部径方向の外方に向けて突出する凸部を筒部外周に一対備える形状にした袋内側筒部と、
前記袋内側筒部に連続していて袋シール辺部でのスパウト取付形態では袋外方に突出する配置とされる筒部であり、切断可能な薄肉部を介して筒部内面に連続する閉鎖板で筒部内が閉鎖されている袋外側筒部と、
スパウト外周周りに設けられているフランジと
からなるスパウトにおいて、
前記フランジには、該フランジの可撓性袋の袋包材の重ね合わせ方向に沿った方向で相対する端部それぞれを外方に向けて延設して、袋内側筒部側の片面に指乗せできる延設部が設けられていることを特徴とするスパウトを提供して、上記課題を解消するものである。
【００１８】
（請求項２の発明）
本発明において、上記フランジは、上記袋内側筒部と上記袋外側筒部との間に位置する第一のフランジと、袋外側筒部の基端側であって前記第一のフランジに対して離間した位置にした第二のフランジとからなるものであり、第一のフランジのみに上記延設部が設けられ、第二のフランジの外方であって前記延設部に対応する部分には、該延設部の第二のフランジとは非接触の撓み変形を可能にする変形可能空間部が設けられていることが良好である。
【００１９】
（請求項３の発明）
また、本発明において、上記袋内側筒部には、シール部から上記袋外側筒部とは反対側に延設されて、袋シール辺部でのスパウト取付形態において袋シール辺部の位置から袋内方に向けて突出する延設筒部が一体にして設けられていることが良好である。
【００２０】
（請求項４の発明）
また、本発明において、上記延設筒部における筒壁に、貫通孔が開口していることが良好である。
【００２１】
（請求項５の発明）
そして、もう一つの発明は、上記スパウトが、袋シール辺部のシール辺の間に挟み込まれるようにして取り付けられていることを特徴とするスタンディングパウチであり、この可撓性袋を提供して、上記課題を解消するものである。
【発明の効果】
【００２２】
（請求項１の発明の効果）
請求項１の発明によれば、フランジには、フランジの可撓性袋の袋包材の重ね合わせ方向に沿った方向で相対する端部それぞれを外方に向けて延設して、袋内側筒部側の片面に指乗せできる延設部が設けられているので、スパウトを取り付けた可撓性袋を上下逆さまになるようにし、そのスパウトを繰り返し使用容器の口部に上方からあてがって押し下げる操作を行なうときに、スパウトの部分を摘み持っている指先をフランジの前記延設部に乗せることができ、この延設部に乗せた指先でフランジを押し下げるように力を加えることが極めて簡単にできる。
【００２３】
即ち、上下逆さまになった可撓性袋のスパウトを挟み持つ指先で指掛けした状態でスパウトを押し下げることができ、閉鎖板の周りにある薄肉部が切断するに適した押し下げの力を容易に加えることができる。よって、閉鎖板を開くためのスパウトの押し下げの操作がスムーズなものとなるなど優れた効果を奏するものである。
【００２４】
ここで、閉鎖板の周りの薄肉部について説明すれば、この薄肉部を薄くすれば、より簡単にこの閉鎖板を押し上げて開くことができる。しかし、スパウトをスタンディングパウチなどの可撓性袋に取り付けるときに超音波融着する際にピンホールが発生するのを抑えるなどの収率を上げるために、スパウトを生産する上で薄肉部の部分については、スパウトの押し込みで切断可能であることを確保しながらも厚くしておくことが好ましい。そのため、スパウトを弱い力で押し下げて開閉蓋を開く際には、抵抗感として薄肉部が切れる感触が生じるが、本発明ではフランジの延設部に指乗せして適切に押し下げ力を加えることができるので、抵抗感を感じさせずにスムーズに閉鎖板を開くことができる。
【００２５】
（請求項２の発明の効果）
請求項２の発明によれば、フランジが第一のフランジと第二のフランジからなり、袋内側筒部と袋外側筒部との間に位置するとした第一のフランジのみに上記延設部を設けているので、このスパウトを取り付けた可撓性袋から繰り返し使用容器に収容物を詰め替える際、繰り返し使用容器の口部の上端側などが第二のフランジに突き当たるようにすることで、スパウトの押し込みで第一のフランジが変形したとしても、その変形した第一のフランジが繰り返し使用容器の口部の上端に当接することはなく、第二のフランジが繰り返し使用容器の口部の上端側などに当接する設定された押し込み深さまで袋外側筒部を押し下げることができるようになる。
【００２６】
（請求項３の発明の効果）
請求項３の発明によれば、袋内側筒部には、シール部から袋外側筒部とは反対側に延設した延設筒部が一体に設けられていて、スパウトを袋シール辺部に取り付けた状態では、その延設筒部が可撓性袋の袋内方に向けて突出した状態となるようにしているので、袋内側筒部の部分が指先で挟み持ち易くなる。これによって、スパウトを取り付けた可撓性袋を上下逆さまにした状態でそのスパウトが取り付けられた部分を指先で挟み持ち、スパウトの袋外側筒部を繰り返し使用容器の口部に合わせて上方から押し下げるようにするときに、繰り返し使用容器の口部に対してスパウトが傾いたときの修正が行ない易くなり、スパウトをより一層スムーズに押し下げできるようになるという効果を奏する。
【００２７】
（請求項４の発明の効果）
請求項４の発明によれば、可撓性袋にスパウトを取り付けた形態としたときには、延設筒部の筒壁に開口している貫通孔からも袋に収容の内容物がスパウトの内部に入ることができる。そのため、スパウトを取り付けた可撓性袋を上下逆さまにして収容物を繰り返し使用容器側に詰め替えるなどするときに、延設筒部周りで収容物が残ってしまうことを防止できるようになる。
【００２８】
（請求項５の発明の効果）
請求項５の発明によれば、スタンディングパウチが上記スパウトを有しているので、そのスパウトの閉鎖板を開く機構を口部に有する繰り返し使用容器に対して詰め替え操作が行ない易い容器を提供できるという優れた効果を奏する。
【図面の簡単な説明】
【００２９】
【図１】本発明のスパウトの一例を斜め方向から見た状態で示すもので、（イ）はスパウトを正置した状態で示す説明図、（ロ）はスパウトを上下逆さまにした状態で示す説明図である。
【図２】本発明のスパウトの一例を示すもので、（イ）は一方の側方から見た状態を示す説明図、（ロ）は下方から見た状態を示す説明図、（ハ）は上方から見た状態を示す説明図、（ニ）は他の側方から見た状態を示す説明図、（ホ）は（イ）でのＡ−Ａ線に沿った断面を示す説明図、（ヘ）は（ニ）でのＢ−Ｂ線に沿った断面を示す説明図である。
【図３】同じく本発明のスパウトの一例を縦断面の状態で示すもので、（イ）は図２の（イ）Ｃ−Ｃ線に沿った断面を示す説明図、（ロ）は図２の（ニ）Ｄ−Ｄ線に沿った断面を示す説明図である。
【図４】本発明のスタンディングパウチの一例を、該袋を伏せた状態で示す説明図である。
【図５】本発明のスパウトの一例を繰り返し使用容器の口部にあてがった状態を示す説明図である。
【図６】本発明のスパウトの一例を繰り返し使用容器の口部にあてがって閉鎖板を開いた状態を示す説明図である。
【図７】従来例のスパウトを斜め方向から見た状態で示すもので、（イ）はスパウトを正置した状態で示す説明図、（ロ）はスパウトを上下逆さまにした状態で示す説明図である。
【図８】従来例のスパウトを示すもので、（イ）は一方の側方から見た状態を示す説明図、（ロ）は下方から見た状態を示す説明図、（ハ）は上方から見た状態を示す説明図、（ニ）は他の側方から見た状態を示す説明図、（ホ）は（イ）でのＡ−Ａ線に沿った断面を示す説明図、（ヘ）は（ニ）でのＢ−Ｂ線に沿った断面を示す説明図である。
【図９】同じく従来のスパウトを縦断面の状態で示すもので、（イ）は図８の（イ）Ｃ−Ｃ線に沿った断面を示す説明図、（ロ）は図８の（ニ）Ｄ−Ｄ線に沿った断面を示す説明図である。
【図１０】従来例のスパウトを取り付けた可撓性袋の一例を、該袋を伏せた状態で示す説明図である。
【図１１】従来例のスパウトを繰り返し使用容器の口部にあてがった状態を示す説明図である。
【発明を実施するための形態】
【００３０】
つぎに本発明を図１から図６に示す実施の形態に基づいて詳細に説明する。なお、図７から図１１に示す従来の技術を構成が重複する部分は同符号を付してその説明を省略する。本発明のスパウト１ではスパウト外周周りであって、袋内側筒部２と袋外側筒部３との間にある第一のフランジ４と袋外側筒部３の基端側で前記第一のフランジ４に離間位置している第二のフランジ５との内、第一のフランジ４のみにおいて延設部１０が設けられている。
【００３１】
（フランジ）
フランジの第一のフランジ４と第二のフランジ５とは共に平面形状を図示されているように略八角形状にしている。そして、上記延設部１０は、第一のフランジ４での可撓性袋の袋包材の重ね合わせ方向に沿った方向で相対する端部それぞれを外方に向けて延設してなるものであり（後述のスタンディングパウチ参照）、袋包材の重ね合わせ方向に沿った方向に対向して一対にして設けられている。このスパウトを融着固定する位置での袋包材の重ね合わせ方向は、上記袋内側筒部２での平断面略三角形とした一対の凸部７の対向方向に直交する方向であることから、図示においては、前記一対の延設部１０は凸部７の対向方向に直交する方向に沿った方向で対向しているものである。
【００３２】
上記第二のフランジ５には延設部は設けられておらず、この第二のフランジ５のフランジ外周周りから外方への張り出し量は、繰り返し使用容器の口部にスパウト１を当てて押し下げたときにその繰り返し使用容器の口部の上端側が当接するに十分となる量にとどめている。
【００３３】
一方、第一のフランジ４は平面形状を第二のフランジ５と比較して判るように延設部１０それぞれが大きく外方に張り出していて、第一のフランジ４における袋内側筒部２側となる片面に、収容物の詰め替えに際して袋内側筒部２側の部分を摘み持つ指を確実に乗せ置くことのできる広さを備えた指乗せ面１１を対にして形成しており、スパウト１を袋内側筒部２側から見た状態において袋内側筒部２の位置を間にして前記延設部１０、即ち指乗せ面１１が対向する配置となっている。
【００３４】
上述したように第一のフランジ４での可撓性袋の袋包材の重ね合わせ方向に沿った方向で対向するように延設部１０が設けられ、その一対の延設部１０の間に袋内側筒部２がある位置関係に設けられている。このスパウト１を取り付けた可撓性袋（例えば、シートの所要辺部を融着して貼り合わせてなるスタンディングパウチ）にて繰り返し使用容器に収容物を詰め替えるに際しては、図５に示すように可撓性袋を上下逆さまにしてスパウト１を挟み込んで融着固定した袋シール辺部ｂを、袋包材の重ね合わせ方向に指先で挟み持つこととなる。
【００３５】
そして、繰り返し使用容器の口部ｄに上記袋外側筒部３を対応させたこのスパウト１を押し下げるには、挟み持っている指先をそのまま延設部１０がある第一のフランジ４の指乗せ面１１に乗せて押し下げる力を加えるようにすればよい。スパウト１を取り付けた可撓性袋を上下逆さまにして詰め替えを行なう際、スパウト１では第一のフランジ４の下方に第二のフランジ５が位置することになる（図５、図６参照）。
【００３６】
そして、上位の第一のフランジ４の延設部１０に指先を乗せて押し下げを行なうことから、第一のフランジ４の指先を乗せた部分が多少下方に撓むこととなるが、第一のフランジ４と第二のフランジ５とは離間し、第二のフランジ５の外方であって前記延設部１０と対応する部分は、延設部１０の第二のフランジ５とは非接触の撓み変形を可能にする変形可能空間部１２として形成されているので、延設部１０それぞれは前記第二のフランジ５と非接触とされている。よって、第二のフランジ５に繰り返し使用容器の口部が当接する時点を押し込み限界と設定すれば、第一のフランジ４側が如何様に変形してもその変形の影響を受けることなく、袋外側筒部３を確実に押し込みの限界位置まで押し下げることができる。
【００３７】
（延設筒部）
本実施の形態においてスパウト１は袋内側筒部２には、この袋内側筒部２の筒形状部分を上記袋外側筒部３とは反対側に突出するように延設されていて、この延設筒部１３が一体に設けられている。この延設筒部１３は、可撓性袋の袋シール辺部でのスパウト取付形態において、袋シール辺部の位置から袋内方に向けて突出する筒部である（図４参照）。
【００３８】
このように可撓性袋にスパウト１を取り付けた形態では、袋内側筒部２に袋シール辺部の位置から袋内方に向けて延設された筒部があるので、上下逆さまにした可撓性袋のスパウト取付部分を指先で摘み持つ際には、袋シール辺部中にあるシール部６とこれに連続する延設筒部１３とがある部分を袋包材を介在させた状態で挟むことができ、可撓性袋に取り付けたスパウトを簡単に支持できるようになる。特にスパウト１の袋外側筒部３を繰り返し使用容器の口部に押し込む際、袋シール辺部の幅に影響されずに長くなった袋内側筒部２を挟み持つためにスパウトを支える力が入れ易くなり、押し込み方向も適切に定められて押し込んで開閉板の開き操作も簡単に行なえるようになる。
【００３９】
図示されているように、上記延設筒部１３における上記シール部６の凸部７側の筒壁に貫通孔１４が開口している。この貫通孔１４を有することから、スパウト１を取り付けた可撓性袋を上下逆さまにして収容物を注出する際、延設筒部１３の外周周りに集まる収容物も貫通孔１４を通って適切に注出できるようになる。
【００４０】
図４は上記スパウト１が取り付けられた可撓性袋であるスタンディングパウチ１５を示している。このスタンディングパウチ１５は、正面シートと背面シートとその間に袋底となる部分にして折り入れた底面シートとの三枚を袋包材とし、この袋包材の相対するシール辺をヒートシールして、底面シートを配した袋底を広げることで自立できる形態としている。
【００４１】
そして、袋上部一隅で相対する正面シートと背面シートとのシール辺ｃの間にスパウト１における袋内側筒部２のシール部６を挟み込み、シール辺ｃの外縁を第一のフランジ４の袋内側筒部２側の片面に当てて、シール部６と前記シール辺ｃとを超音波融着することで、スパウト１を袋上部一隅に取り付けたスタンディングパウチ１５が形成されている。スパウト１を取り付けたこのスタンディングパウチ１５では、上述したように袋内側筒部２の延設筒部１３が袋シール辺部ｂの位置から袋内方に向けて突出した状態となっており、その延設筒部１３の筒壁に貫通孔１４が開口されているものである。
【００４２】
内容物が充填されたスタンディングパウチ１５を詰め替え製品とし、このスタンディングパウチ１５から繰り返し使用容器に詰め替えるに際しては、そのスタンディングパウチ１５を上下逆さまにし、袋上部一隅のスパウト１での袋内側筒部２がある部分を指先で挟み持って支え、スパウト１の袋外側筒部３を繰り返し使用容器の口部ｄに合わせた状態にし、スパウト１の第一のフランジ４の延設部１０に前記指先を乗せた状態で押し下げる。これにより、繰り返し使用容器の口部側にある機構によって袋外側筒部３の筒部内にある閉鎖板８が開いて（図６）、スタンディングパウチ１５から繰り返し使用容器に内容物を詰め替えることができる。
【符号の説明】
【００４３】
１…スパウト
２…袋内側筒部
３…袋外側筒部
４…第一のフランジ
５…第二のフランジ
６…シール部
７…凸部
１０…延設部
１１…指乗せ面
１２…変形可能空間部
１３…延設筒部
１４…貫通孔
１５…スタンディングパウチ
【図１】
2015013655.tif 000003
【図２】
2015013655.tif 000004
【図３】
2015013655.tif 000005
【図４】
2015013655.tif 000006
【図５】
2015013655.tif 000007
【図６】
2015013655.tif 000008
【図７】
2015013655.tif 000009
【図８】
2015013655.tif 000010
【図９】
2015013655.tif 000011
【図１０】
2015013655.tif 000012
【図１１】
2015013655.tif 000013